(57)【特許請求の範囲】
【請求項１】
映像信号と変調された音声信号とが複合されてなる複合映像信号を、映像信号と変調された音声信号とに分離し、前記変調された音声信号に対して復調を施して音声信号を得、当該音声出力と前記映像信号とをそれぞれ出力するよう構成されてなる映像中間周波検波回路において、
前記複合映像信号が入力され、前記変調された音声信号のみが通過可能であって、外部から入力される制御信号によりその周波数特性が制御可能に構成されてなる音声フィルタと、
前記複合映像信号が入力され、前記映像信号のみが通過可能であって、外部から入力される制御信号によりその周波数特性が制御可能に構成されてなる音声トラップと、
前記復調後の音声信号を基に、前記音声フィルタ及び前記音声トラップへ対する制御信号を出力する制御器と、
を具備してなることを特徴とする映像中間周波検波回路。
【請求項２】
音声フィルタ及び音声トラップは、それぞれ、外部から入力される制御信号によりコンダクタンスが可変可能に構成されてなるコンダクタンス・アンプを用いてなるバイクァッド・フィルタからなることを特徴とする請求項１記載の映像中間周波検波回路。
【請求項３】
映像信号と変調された音声信号とが複合されてなる複合映像信号を、映像信号と変調された音声信号とに分離し、前記変調された音声信号に対して復調を施して音声信号を得、当該音声出力と前記映像信号とをそれぞれ出力するよう構成されてなるテレビジョン受信機用ＩＣであって、
前記複合映像信号が入力され、前記変調された音声信号のみが通過可能であって、外部から入力される制御信号によりその周波数特性が制御可能に構成されてなる音声フィルタと、
前記複合映像信号が入力され、前記映像信号のみが通過可能であって、外部から入力される制御信号によりその周波数特性が制御可能に構成されてなる音声トラップと、
前記復調後の音声信号を基に、前記音声フィルタ及び前記音声トラップへ対する制御信号を出力する制御器と、
を具備してなることを特徴とするテレビジョン受信機用ＩＣ。
【請求項４】
音声フィルタ及び音声トラップは、それぞれ、外部から入力される制御信号によりコンダクタンスが可変可能に構成されてなるコンダクタンス・アンプを用いてなるバイクァッド・フィルタからなることを特徴とする請求項３記載のテレビジョン受信機用ＩＣ。
【発明の詳細な説明】
【０００１】
【発明の属する技術分野】
本発明は、無線信号を受信する受信機のいわゆる中間周波検波回路の改善に係り、特に、テレビジョン受信機用の中間周波検波のためのＩＣ化された回路の改良に関する。
【０００２】
【従来の技術】
ＩＣ化技術の進歩と共に、従来、いわゆるディスクリートに製造されていた種々のアナログ回路がＩＣ化されるようになり、例えば、テレビジョン受信機においても近年は、このようなＩＣ化された回路が種々用いられて構成されることが多い。
図５には、従来のテレビジョン受信機の構成例が示されており、以下、同図を参照しつつその構成、動作について概括的に説明することとする。
図５は、テレビジョン受信機の特に、中間周波検波段までの公知・周知の回路構成例を示すものである。
かかる構成において、アンテナにより受信された電波の内、所望するテレビジョンチャンネルの信号がチューナ１により選択されると共に中間周波数信号に変換されて、フィルタ２により不要な信号が除去された後、映像中間周波増幅器３において増幅されるようになっている。
そして、映像中間周波増幅器３により増幅された映像中間周波数信号は、いわゆるＰＬＬ同期検波が施されて、映像信号とＦＭ変調された音声信号とを含む複合映像信号となる。
【０００３】
すなわち、電圧制御発振器（ＶＣＯ）５と、この電圧制御発振器５の出力信号の位相を所定量調整するシフタ６と、このシフタ６からの入力信号と映像中間周波増幅器３からの信号とを位相比較する位相比較器（Ｐ．Ｄ．）７と、いわゆるループフィルタとしてのローパスフィルタ８とからいわゆるＰＬＬ回路が構成されており、検波器４は、電圧制御発振器５による制御を受けて中間周波信号に対して同期検波を施すようになっている。
検波器４から出力された複合映像信号は、音声フィルタ５５と音声トラップ５６とにそれぞれ入力され、音声フィルタ５５により映像信号が除去されＦＭ変調された音声信号のみが通過せしめられた後、リミッタ１１により振幅制限を受け、ＦＭ検波回路５７によりいわゆるＦＭ検波されて音声信号が得られるようになっている。
また、音声トラップ５６においては、ＦＭ変調された音声信号がトラップされ、映像信号のみが出力されるようになっている。
このような構成において、図５において二点鎖線で囲まれた部分は、いわゆるＩＣ化された専用ＩＣとなっている。
このため、音声フィルタ５５と、音声トラップ５６は、いわゆる外付けとなっており、従来、これら音声フィルタ５５と音声トラップ５６は、いわゆる受動素子から構成されたものとなっていた。
【０００４】
【発明が解決しようとする課題】
しかしながら、このように音声フィルタ５５と、音声トラップ５６とを外付けにすることは、これら音声フィルタ５５及び音声トラップ５６を配設するためのスペースの確保が必要となるばかりか、ＩＣを用いたことによる折角のテレビジョン受信機の小型化を阻むこととなり、しかも、高価格化を招くと言う不都合を生ずる。
このような不都合を回避する手段として、例えば、これら音声フィルタ５５及び音声トラップ５６を、ＩＣ内蔵化することが考えられるが、従来の回路構成で音声フィルタ５５及び音声トラップ５６をＩＣ内に製造した場合、ＩＣ製造のばらつきに起因するこれら音声フィルタ５５及び音声トラップ５６の周波数ずれの発生を回避することができず、検波特性が劣化するため、映像においては、画質劣化や色ずれ等の新たな問題が、音声においては、バスやバスビートの音声妨害等の新たな問題が、それぞれ生ずる。
【０００５】
このような音声フィルタ５５及び音声トラップ５６のＩＣ内蔵化による周波数ずれを補償するために、仮に、発振周波数が安定した基準発振子のようなものを用いて中間周波検波段全体の周波数安定度を増すことで、音声フィルタ５５及び音声トラップ５６の周波数ずれを小さくするようにしても、これを完全に解消することはできず、例えば最大で２％程度の周波数ずれは生ずるのが現状である。
【０００６】
本発明は、上記実状に鑑みてなされたもので、周波数ずれがない映像中間周波検波回路及びそのような回路を有してなるテレビジョン受信機用ＩＣを提供するものである。
本発明の他の目的は、音声フィルタ及び音声トラップを内蔵化し、しかも、これらの周波数ずれが生ずることのない中間周波検波回路及びテレビジョン受信機用ＩＣを提供することにある。
【０００７】
【課題を解決するための手段】
請求項１記載の発明に係る映像中間周波検波回路は、
映像信号と変調された音声信号とが複合されてなる複合映像信号を、映像信号と変調された音声信号とに分離し、前記変調された音声信号に対して復調を施して音声信号を得、当該音声出力と前記映像信号とをそれぞれ出力するよう構成されてなる映像中間周波検波回路において、
前記複合映像信号が入力され、前記変調された音声信号のみが通過可能であって、外部から入力される制御信号によりその周波数特性が制御可能に構成されてなる音声フィルタと、
前記複合映像信号が入力され、前記映像信号のみが通過可能であって、外部から入力される制御信号によりその周波数特性が制御可能に構成されてなる音声トラップと、
前記復調後の音声信号を基に、前記音声フィルタ及び前記音声トラップへ対する制御信号を出力する制御器と、を具備してなるものである。
【０００８】
かかる構成において、音声フィルタ及び音声トラップは、外部からの制御信号によりその周波数特性が制御できるものであればよく、種々の回路構成のものが実現可能である。
例えば、請求項２記載の発明のように、音声フィルタ及び音声トラップは、それぞれ、外部から入力される制御信号によりコンダクタンスが可変可能に構成されてなるコンダクタンス・アンプを用いてなるバイクァッド・フィルタからなるものが好適である。
バイクァッド・フィルタは、コンダクタンス・アンプのコンダクタンスが変化することで、その周波数特性が変えられるものである。したがって、制御器からの信号によりコンダクタンス・アンプのコンダクタンスを制御することで、音声フィルタ及び音声トラップを、所望の周波数特性で常に最適な動作状態とすることができることとなるものである。
【０００９】
また、請求項３記載の発明に係るテレビジョン受信機用ＩＣは、
映像信号と変調された音声信号とが複合されてなる複合映像信号を、映像信号と変調された音声信号とに分離し、前記変調された音声信号に対して復調を施して音声信号を得、当該音声出力と前記映像信号とをそれぞれ出力するよう構成されてなるテレビジョン受信機用ＩＣであって、
前記複合映像信号が入力され、前記変調された音声信号のみが通過可能であって、外部から入力される制御信号によりその周波数特性が制御可能に構成されてなる音声フィルタと、
前記複合映像信号が入力され、前記映像信号のみが通過可能であって、外部から入力される制御信号によりその周波数特性が制御可能に構成されてなる音声トラップと、
前記復調後の音声信号を基に、前記音声フィルタ及び前記音声トラップへ対する制御信号を出力する制御器と、を具備してなるものである。
【００１０】
かかる構成においては、音声フィルタ及び音声トラップを、従来と異なり、外部からの制御信号によりその周波数特性が制御できるようにしたことで、ＩＣ内蔵化が可能となり、従来の回路構成の音声フィルタ及び音声トラップをＩＣ内蔵化した際に生ずる周波数ずれの問題が回避できるようになり、最適な動作を得ることのできるテレビジョン受信機用ＩＣが提供されることとなるものである。
【００１１】
特に、音声フィルタ及び音声トラップは、請求項４記載の発明のように、外部から入力される制御信号によりコンダクタンスが可変可能に構成されてなるコンダクタンス・アンプを用いてなるバイクァッド・フィルタからなるものが好適である。
バイクァッド・フィルタは、コンダクタンス・アンプのコンダクタンスが変化することで、その周波数特性が変えられるものである。したがって、制御器からの信号によりコンダクタンス・アンプのコンダクタンスを制御することで、音声フィルタ及び音声トラップを、所望の周波数特性で常に最適な動作状態とすることができることとなるものである。
【００１２】
【発明の実施の形態】
以下、本発明の実施の形態について、図１乃至図４を参照しつつ説明する。
なお、以下に説明する部材、配置等は本発明を限定するものではなく、本発明の趣旨の範囲内で種々改変することができるものである。
まず、図１を参照しつつ本発明の実施の形態におけるテレビジョン受信機について説明する。なお、図５に示された従来のテレビジョン受信機の構成要素と同一のものについては、同一の符号を付することとする。
図１に示されたテレビジョン受信機は、特に、映像中間周波検波までの構成を示すもので、映像中間周波増幅器３等を含む映像中間周波検波用ＩＣ２０と、この映像中間周波検波用ＩＣ２０の外部に設けられるチューナ１及びフィルタ２とに大別されてなるものである。
【００１３】
チューナ１は、アンテナにより受信された電波の中から、所望するテレビジョンチャンネルに対応するテレビジョン電波を選択し、映像中間周波数信号に変換するためのもので、このチューナ１の出力信号は、フィルタ２により不要な信号が除去されて映像中間周波検波用ＩＣ２０に供給されるようになっている。
映像中間周波検波用ＩＣ２０は、映像中間周波増幅器（図１においては「中間周波増幅」と表記）３と、同期検波部２１と、ＦＭ検波部２２と、音声トラップ１０と、フィルタ・トラップ制御器（図１においては「ＣＯＮＴ」と表記）１５とに大別されてなるもので、フィルタ２からの信号は、映像中間周波増幅器３に入力されるようになっている。
【００１４】
映像中間周波増幅器３は、入力された映像中間周波数信号を後段の処理に十分なレベルに増幅する公知・周知の回路構成を有してなるものである。
同期検波部２１は、検波器（図１においては「検波」と表記）４と、この検波器４が同期検波を行うために必要な信号を与えるためのＰＬＬ（Phase Locked Loop）回路２３とに大別されてなる公知・周知の構成を有するものとなっている。
検波器４は、ＰＬＬ回路２３の電圧制御発振器（図１においては「ＶＣＯ」と表記）５からの信号によって制御され、映像中間周波増幅器３の出力信号に対して同期検波を施すようになっているものである。
ＰＬＬ回路２３は、外部からの信号に応じてその発振周波数が変化する電圧制御発振器５と、この電圧制御発振器５の位相を所定量調整するシフタ６と、映像中間周波増幅器３の出力信号とシフタ６を介して入力された電圧制御発振器５の出力信号との位相比較を行う位相比較器（図１においては「Ｐ．Ｄ．」と表記）７と、いわゆるループフィルタとしてのローパスフィルタ（図１においては「ＬＰＦ」と表記）８とを有してなる公知・周知の回路構成となっている。
【００１５】
検波器４による同期検波によって、検波器４からは、映像信号とＦＭ変調された音声信号とが複合された状態の複合映像信号が出力され、ＦＭ検波部２２の音声フィルタ９と音声トラップ１０とにそれぞれ入力されるようになっている。
ＦＭ検波部２２は、音声フィルタ９と、リミッタ１１と、ＦＭ検波回路２４とに大別されるものとなっている。
音声フィルタ９は、ＦＭ変調された音声信号のみを通過させ、映像信号の通過を阻止する機能を有する点では従来と同一であるが、後述するフィルタ・トラップ制御器１５からの制御信号により、その周波数特性がずれることのないように制御され得るものとなっている点で従来と異なるものとなっている。
【００１６】
リミッタ１１は、音声トラップ１０から得られたＦＭ変調された音声信号の振幅を一定にし、いわゆるＡＭ成分を除去するための公知・周知の回路構成を有するものである。
ＦＭ検波回路２４は、音声検波用位相比較器１２と、音声検波用ローパスフィルタ１３と、音声可変位相フィルタ１４とを有して構成されるものである。
音声可変位相フィルタ１４は、音声検波用ローパスフィルタ１３を介して入力される音声検波用位相比較器１２の出力信号に応じてリミッタ１１の出力信号の位相と常に９０度の位相差を有する信号を出力するようになっているものである。
音声検波用位相比較器１２には、リミッタ１１からの信号と、上述したような音声可変位相フィルタ１４からの信号とが入力されることによって、常に最適な状態で位相比較がなされて音声信号が復調されるようになっている。
そして、音声検波用位相比較器１２により得られた音声信号は、音声検波用ローパスフィルタ１３により不要な信号が除去されて出力されるようになっている。
さらに、音声検波用ローパスフィルタ１３の出力信号は、後述するフィルタ・トラップ制御器１５に入力されるようになっている。
【００１７】
音声トラップ１０は、検波器４から入力された複合映像信号を入力し、ＦＭ変調された音声信号を除去し、映像信号のみを通過せしめる機能を有する点では従来と同一であるが、後述するフィルタ・トラップ制御器１５からの制御信号により、その周波数特性がずれることのないように制御され得るものとなっている点で従来と異なるものとなっている。
フィルタ・トラップ制御器１５は、音声検波用ローパスフィルタ１３からの入力信号を、音声フィルタ９及び音声トラップ１０の周波数特性を制御するために適した信号に変換、出力するものである。なお、このフィルタ・トラップ制御器１５は、請求項１及び３における制御器を実現するものである。
【００１８】
音声フィルタ９及び音声トラップ１０は、フィルタ・トラップ制御器１５の出力信号、換言すればＦＭ検波された後の音声信号に対応した信号によって、その周波数特性が制御されるようになっているため、常に最適な動作点で動作することとなり、従来と異なり、その周波数特性がずれて、本来通過させてはならい信号成分が通過するようなことがなくなり、音声フィルタ９からは、映像信号成分を含むことのないＦＭ変調された音声信号が、音声トラップ１０からは、ＦＭ変調された音声信号成分を含むことのない映像信号が、それぞれ出力されることとなる。
【００１９】
ここで、上記構成における全体の動作を概括的に説明すれば、チューナ１及びフィルタ２によって選択され、中間周波数に変換された映像中間周波信号は、映像中間周波増幅器３に入力され、ここで増幅された後、同期検波部２１によって同期検波されて、複合映像信号となって、音声フィルタ９及び音声トラップ１０に、それぞれ入力される。
音声フィルタ９においては、映像信号が除去され、ＦＭ変調された音声信号のみが通過せしめられてリミッタ１１により振幅制限が施された後、ＦＭ検波回路２４によりＦＭ検波されて音声信号として出力されることとなる。
ここで、ＦＭ検波回路２４の音声信号は、フィルタ・トラップ制御器１５を介して音声フィルタ９の制御信号として入力され、音声フィルタ９は常に最適な動作点で動作するように制御されるようになっている。このため、音声フィルタ９の出力信号には、不要な映像信号成分が含まれるようなことがなく、ＦＭ検波回路２４の入力信号として適した信号のみが出力されるようになっている。
一方、音声トラップ１０においては、ＦＭ変調された音声信号が除去され、映像信号のみが出力されるようになっている。この音声トラップ１０は、音声フィルタ９同様、フィルタ・トラップ制御器１５からの信号によって、動作制御を受けるようになっているため、動作周波数のずれが生ずることがなく、常に最適な動作点で動作するようになっている。このため、この音声トラップ１０の出力信号には、不要なＦＭ変調された音声信号成分が含まれるようなことがなく、最適な映像信号が得られることとなる。
【００２０】
次に、図２乃至図４を参照しつつ、第２の発明の実施の形態について説明する。
この第２の発明の実施の形態は、特に、先の音声フィルタ９及び音声トラップ１０のより具体的な一構成例を示すものである。
最初に、図２を参照しつつ音声フィルタの一構成例について説明する。
この音声フィルタ９ａは、一般に、バイクァッド・フィルタと称される構成を有してなるもので、音声フィルタ用第１のコンダクタンス・アンプ３０と、音声フィルタ用第１のバッファ・アンプ３１と、音声フィルタ用第２のコンダクタンス・アンプ３２と、音声フィルタ用第２のバッファ・アンプ３３とを主たる構成要素として、これらが縦続接続されてなるものである。
【００２１】
音声フィルタ用第１及び第２のコンダクタンス・アンプ３０，３２は、電圧入力電流出力型アンプとして公知・周知の構成を有するもので、その増幅度が先のフィルタ・トラップ制御器１５の出力信号に応じて制御されるようになっているものである。
音声フィルタ用第１及び第２のバッファ・アンプ３１，３３は、共に増幅度１を有する公知・周知の構成を有するバッファ・アンプである。
【００２２】
音声フィルタ用第１のコンダクタンス・アンプ３０の非反転入力端子には、基準電圧Ｖrefが印加されるようになっている一方、音声フィルタ用第１のコンダクタンス・アンプ３０の出力端子は、音声フィルタ用第１のバッファ・アンプ３１の入力端子に接続されている。また、音声フィルタ用第１のバッファ・アンプ３１には、さらに、音声フィルタ用第１のコンデンサ３４を介して先の検波器４の出力信号が印加されるようになっている。
そして、音声フィルタ用第１のバッファ・アンプ３１の出力端子は、音声フィルタ用第２のコンダクタンス・アンプ３２の非反転入力端子に接続され、音声フィルタ用第２のコンダクタンス・アンプ３２の出力端子は、音声フィルタ用第２のバッファ・アンプ３３の入力端子に接続されている。さらに、音声フィルタ用第２のバッファ・アンプ３３の入力端子には、音声フィルタ用第２のコンデンサ３５を介して基準電圧Ｖrefが印加されるようになっている。
音声フィルタ用第２のバッファ・アンプ３３の出力端子は、この音声フィルタ９ａの出力端子として信号が得られるようになっていると共に、先の音声フィルタ用第１及び第２のコンダクタンス・アンプ３０，３２のそれぞれの反転入力端子にフィードバックされるようになっている。
なお、図２においては、音声フィルタ用第１及び第２のコンダクタンス・アンプ３０，３２の増幅度を制御するために、先のフィルタ・トラップ制御器１５から入力される信号が制御信号として入力されるように表されている。
【００２３】
かかる構成において、この音声フィルタ９ａは、帯域フィルタとして動作するものとなっており、いわゆる中心周波数ｆoは、音声フィルタ用第１のコンダクタンス・アンプ３０のコンダクタンスをＧm1、音声フィルタ用第２のコンダクタンス・アンプ３２のコンダクタンスをＧm2、音声フィルタ用第１のコンデンサ３４の容量をＣ1、音声フィルタ用第２のコンデンサ３５の容量をＣ2とすれば、ｆo＝１／［２π｛Ｃ1Ｃ2（１／Ｇm1）（１／Ｇm2）｝1/2］と表されるものである。
コンダクタンスＧm1，Ｇm2は、それぞれ音声フィルタ用第１及び第２のコンダクタンス・アンプ３０，３２の増幅度の変化に伴い変わるものであり、この増幅度は、フィルタ・トラップ制御器１５からの出力信号に応じて制御されるようになっている。したがって、フィルタ・トラップ制御器１５の出力信号により、音声フィルタ９ａのカットオフ周波数が制御できることとなり、このため、先に述べたように最適な動作点での動作が確保され、従来と異なり、いわゆる周波数ずれが生ずるようなことがないようになっている。
【００２４】
次に、図３を参照しつつ音声トラップ１０ａの一構成例について説明する。
この音声トラップ１０ａは、一般に、バイクァッド・フィルタと称される構成を有してなるもので、音声トラップ用第１のコンダクタンス・アンプ３６と、音声トラップ用第１のバッファ・アンプ３７と、音声トラップ用第２のコンダクタンス・アンプ３８と、音声トラップ用第２のバッファ・アンプ３９とを主たる構成要素として、これらが縦続接続されてなるものである。
【００２５】
音声トラップ用第１及び第２のコンダクタンス・アンプ３６，３８は、先の音声フィルタ用第１及び第２のコンダクタンス・アンプ３０，３２と基本的に同一の機能、構成を有するものである。
また、音声トラップ用第１及び第２のバッファ・アンプ３７，３９も、先の音声フィルタ用第１及び第２のバッファ・アンプ３１，３３と基本的に同一の機能、構成を有するものである。
【００２６】
音声トラップ用第１のコンダクタンス・アンプ３６の非反転入力端子は、先の検波器４の出力信号が入力されるようになっていると共に、音声トラップ用第２のコンデンサ４１を介して音声トラップ用第２のコンダクタンス・アンプ３８の出力端子と接続されている。
この音声トラップ用第１のコンダクタンス・アンプ３６の出力端子は、音声トラップ用第１のバッファ・アンプ３７の入力端子に接続され、音声トラップ用第１のバッファ・アンプ３７の入力端子には、音声トラップ用第１のコンデンサ４０を介して基準電圧Ｖrefが印加されるようになっている。
【００２７】
そして、音声トラップ用第１のバッファ・アンプ３７の出力端子は、音声トラップ用第２のコンダクタンス・アンプ３８の非反転入力端子に接続されており、音声トラップ用第２のコンダクタンス・アンプ３８の出力端子は、音声トラップ用第２のバッファ・アンプ３９の入力端子に接続されている。
この音声トラップ用第２のバッファ・アンプ３９の出力端子からは、この音声トラップ１０ａの最終的な出力信号が得られるようになっているが、一方で、音声トラップ用第２のバッファ・アンプ３９の出力端子は、音声トラップ用第１及び第２のコンダクタンス・アンプ３６，３８の反転入力端子へ接続されており、出力信号の一部がフィードバックされるようになっている。
なお、図３においては、音声トラップ用第１及び第２のコンダクタンス・アンプ３６，３８の増幅度を制御するために、先のフィルタ・トラップ制御器１５から入力される信号が制御信号として入力されるように表されている。
【００２８】
かかる構成において、この音声トラップ１０ａは、特定の周波数をいわゆるトラップ（通過阻止）するように動作するものとなっており、いわゆるトラップ周波数ｆTは、音声トラップ用第１のコンダクタンス・アンプ３６のコンダクタンスをＧm1、音声トラップ用第２のコンダクタンス・アンプ３８のコンダクタンスをＧm2、音声トラップ用第１のコンデンサ４０の容量をＣ1、音声トラップ用第２のコンデンサ４１の容量をＣ2とすれば、ｆT＝１／［２π｛Ｃ1Ｃ2（１／Ｇm1）（１／Ｇm2）｝1/2］と表されるものである。
コンダクタンスＧm1，Ｇm2は、それぞれ音声トラップ用第１及び第２のコンダクタンス・アンプ３６，３８の増幅度の変化に伴い変わるものであり、この増幅度は、フィルタ・トラップ制御器１５からの出力信号に応じて制御されるようになっている。したがって、フィルタ・トラップ制御器１５の出力信号により、音声トラップ１０ａのトラップ周波数が制御できることとなり、このため、先に述べたように最適な動作点での動作が確保され、従来と異なり、いわゆる周波数ずれが生ずるようなことがないようになっている。
【００２９】
次に、図４を参照しつつ、先の音声フィルタ用第１及び第２のコンダクタンス・アンプ３０，３２並びに音声トラップ用第１及び第２のコンダクタンス・アンプ３６，３８として好適な一回路構成例について説明する。
このコンダクタンス・アンプは、差動増幅回路にカレント・ミラー負荷を接続してなる公知・周知の構成のものである。
すなわち、第１及び第２のｎｐｎ型トランジスタ４５，４６は、エミッタ同士が接続され、電流源４７を介して接地される一方、第１のｎｐｎ型トランジスタ４５のベースは、非反転入力端子として、第２のｎｐｎ型トランジスタ４６のベースは、反転入力端子として、それぞれ機能するようになっており、さらに、第１及び第２のｎｐｎ型トランジスタ４５，４６のコレクタには、次述するようにカレント・ミラー負荷が接続されて、差動増幅回路が構成されるようになっている。
ここで、電流源４７は、外部からの制御信号、すなわち、先のフィルタ・トラップ制御器１５の出力信号によりその出力電流値が変えられるようになっており、これにより、先に述べたようにコンダクタンス・アンプのコンダクタンスが可変されることとなる。
【００３０】
カレント・ミラー回路は、第１及び第２のｐｎｐ型トランジスタ４８，４９を主要な構成要素としてなるもので、この第１及び第２のｐｎｐ型トランジスタ４８，４９のベース同士が接続されると共に、第１のｐｎｐ型トランジスタ４８のコレクタとベースとが共に接続されて、先の第１のｎｐｎ型トランジスタ４５のコレクタに接続されている。
また、第１及び第２のｐｎｐ型トランジスタ４８，４９のエミッタには、それぞれコレクタ抵抗５０，５１を介して電源電圧Ｖccが印加されるようになっている。
そして、第２のｐｎｐ型トランジスタ４９のコレクタは、先の第２のｎｐｎ型トランジスタ４６のコレクタに接続され、出力信号を得る出力端子となっている。
【００３１】
かかる構成において、第１及び第２のｎｐｎ型トランジスタ４５，４６のベースに、それぞれ入力信号が印加されると、その入力信号の差が差動増幅され、第２のｐｎｐ型トランジスタ４９のコレクタには、入力信号の差と、電流源４７の出力電流に略比例する電流出力が得られるようになっている。
また、電流源４７の出力電流を制御信号により変えることで、このコンダクタンス・アンプのコンダクタンスが変化することとなり、入力電圧に対する電流出力の大きさが変化するものようになっている。
【００３２】
なお、上述の発明の実施の形態におけるテレビジョン受信機は、いわゆるインターキャリア方式のものであったが、勿論この方式に限られる必要はなく、いわゆるセパレートキャリア方式であっても同様に適用できることは勿論である。
また、図２で示された音声フィルタ９ａや図３で示された音声トラップ１０ａは、あくまでも一例であり、必ずしもこのような回路構成に限定される必要はなく、フィルタ・トラップ制御器１５の出力信号により、周波数特性が制御できるような構成であれば、他の回路構成であっても勿論よいものである。
【００３３】
【発明の効果】
以上、述べたように、本発明によれば、ＦＭ検波後の音声信号を基にした制御信号により音声フィルタ及び音声トラップの周波数補正を行うように構成することにより、音声フィルタ及び音声トラップを周波数ずれのない最適な動作状態とすることができるので、音声信号及び映像信号の信号品質の良好な映像中間周波検波回路を提供することができる。
また、音声フィルタ及び音声トラップの周波数ずれがないので、特に、ＩＣ内蔵化に適し、従来と異なり、これらの周波数ずれの問題を憂慮する必要のないテレビジョン受信機用ＩＣを提供することができ、テレビジョン受信機をより小型化することが容易となる。
【図面の簡単な説明】
【図１】本発明の実施の形態における映像中間周波信号検波回路の一例を示す構成図である。
【図２】音声フィルタの一構成例を示す構成図である。
【図３】音声トラップの一構成例を示す構成図である。
【図４】コンダクタンス・アンプの具体的構成例を示す回路図である。
【図５】従来のテレビジョン受信機の構成例を示す構成図である。
【符号の説明】
３…映像中間周波増幅器
４…検波器
５…電圧制御発振器
７…位相比較器
９…音声フィルタ
１０…音声トラップ
１２…音声検波用位相比較器
１３…音声検波用ローパスフィルタ
１４…音声検波用位相フィルタ
１５…フィルタ・トラップ制御器
３０…音声フィルタ用第１のコンダクタンス・アンプ
３２…音声フィルタ用第２のコンダクタンス・アンプ
３６…音声トラップ用第１のコンダクタンス・アンプ
３８…音声トラップ用第２のコンダクタンス・アンプ
【図１】
0003699787.tif 000002
【図２】
0003699787.tif 000003
【図３】
0003699787.tif 000004
【図４】
0003699787.tif 000005
【図５】
0003699787.tif 000006